(57)【特許請求の範囲】
【請求項１】
立体構造物を少なくともそれぞれ造作する２枚の造作シートと該造作シートの一辺を谷折れ線として２枚の造作シートをそれぞれ折り返して重ね合わせる１枚のベースシートとを一体に形成してなるペーパジオラマ模型セットにおいて、
前記２枚の造作シートが、前記立体構造物の展開図を表示した展開図表示シート領域と該展開図表示シート領域の立脚部分を除く輪郭切り取りラインを介して間歇接合した残余周辺シート領域とでそれぞれ構成され、
前記ベースシートの左右両側に配置された２枚の造作シートにそれぞれ造作される立体構造物の外形が、前記造作シートをベースシート側へ折り畳んだ状態で造作シートごとに組み立てられることを特徴とするペーパジオラマ模型セット。
【請求項２】
前記立体構造物が、前記造作シートをベースシート側へ折り畳んだ状態で前記立体構造物の展開図を展開図表示シート領域の裏面側へ折り込んで組み立てられることを特徴とする請求項１記載のペーパジオラマ模型セット。
【請求項３】
前記立体構造物の組み立て状態を係止する差し込み舌片と差し込み穴が、前記立体構造物の展開図の付き合わせ部位に設けられていることを特徴とする請求項１または請求項２記載のペーパジオラマ模型セット。
【請求項４】
前記造作シートが、前記造作シートの他の辺に折り畳み自在に連設されて立体構造物の背景を裏面側に表示する背景表示領域を備えていることを特徴とする請求項１乃至請求項３のいずれか記載のペーパジオラマ模型セット。
【請求項５】
前記造作シートとベースシートとが、一枚の紙シートで一体に形成されていることを特徴とする請求項１乃至請求項４のいずれかに記載のペーパジオラマ模型セット。
【請求項６】
前記造作シートとベースシートが、少なくとも表裏両面で同質となっていることを特徴とする請求項１乃至請求項５のいずれかに記載のペーパジオラマ模型セット。
【発明の詳細な説明】
【技術分野】
【０００１】
本発明は、立体構造物がその背景に配置されるペーパジオラマ模型セットに関する。
【背景技術】
【０００２】
従来、電車等の立体構造物とその背景を立体的に表現した縮尺のジオラマ模型セットとして紙材を用いた立体模型組み立てキットが知られている（例えば、特許文献１参照。）。
特許文献１に開示された立体模型組立キットによれば、立体模型を構成する複数の部品を一枚の紙材から相互に分離した後、これら複数の部品を組み立てることによって立体模型が形成される。
【先行技術文献】
【特許文献】
【０００３】
【特許文献１】特開２００１−２７２９１１号公報（第１頁、図１）
【発明の概要】
【発明が解決しようとする課題】
【０００４】
しかしながら、特許文献１に開示された立体模型組立キットでは、複数の部品を相互に分離することによって部品を紛失する虞があるため、部品不足により模型を完成させることができなくなるという問題があった。
加えて、特許文献１に開示された立体模型組立キットでは、複数の部品を紙シートから分離した際に紙シートのうち部品として利用されない紙片が生じるため、紙シート等の資源の無駄をなくして資源を有効利用することが困難であるという問題があった。
また、電車等の立体構造物がその背景と関係なく存在するため、実際の様子に近い情景を創成することができないという問題があった。
【０００５】
そこで、本発明が解決しようとする技術的課題、すなわち、本発明の目的は、部品を紛失することなく、紙シート等の資源の無駄を抑制して資源を有効利用するとともに、一つの立体構造物では表現しきれない実際の様子に近い情景を左右両側の造作シートごとに組み立てられる立体構造物で簡便に再現するペーパジオラマ模型セットを提供することである。
【課題を解決するための手段】
【０００６】
本請求項１に係る発明は、立体構造物を少なくともそれぞれ造作する２枚の造作シートと該造作シートの一辺を谷折れ線として２枚の造作シートをそれぞれ折り返して重ね合わせる１枚のベースシートとを一体に形成してなるペーパジオラマ模型セットにおいて、前記２枚の造作シートが、前記立体構造物の展開図を表示した展開図表示シート領域と該展開図表示シート領域の立脚部分を除く輪郭切り取りラインを介して間歇接合した残余周辺シート領域とでそれぞれ構成され、前記ベースシートの左右両側に配置された２枚の造作シートにそれぞれ造作される立体構造物の外形が、前記造作シートをベースシート側へ折り畳んだ状態で造作シートごとに組み立てられることにより、前述した課題を解決したものである。
【０００７】
また、本請求項２に係る発明は、立体構造物が、造作シートをベースシート側へ折り畳んだ状態で立体構造物の展開図を展開図表示シート領域の裏面側へ折り込んで組み立てられることにより、前述した課題を解決したものである。
【０００８】
また、本請求項３に係る発明は、立体構造物の組み立て状態を係止する差し込み舌片と差し込み穴が、立体構造物の展開図の付き合わせ部位に設けられていることにより、前述した課題を解決したものである。
【０００９】
また、本請求項４に係る発明は、造作シートが、造作シートの他の辺に折り畳み自在に連設されて立体構造物の背景を裏面側に表示する背景表示領域を備えていることにより、前述した課題を解決したものである。
【００１０】
また、本請求項５に係る発明は、造作シートとベースシートとが、一枚の紙シートで一体に形成されていることにより、前述した課題を解決したものである。
【００１１】
また、本請求項６に係る発明は、造作シートとベースシートが、少なくとも表裏両面で同質となっていることにより、前述した課題を解決したものである。
【発明の効果】
【００１２】
本発明は、立体構造物を少なくともそれぞれ造作する２枚の造作シートと該造作シートの一辺を谷折れ線として２枚の造作シートをそれぞれ折り返して重ね合わせる１枚のベースシートとを一体に形成してなることにより、造作シートから少なくとも立体構造物を造作することができるばかりでなく、以下の特有の構成に対応した格別の効果を奏することができる。
【００１３】
請求項１に係るペーパジオラマ模型セットによれば、２枚の造作シートが、前記立体構造物の展開図を表示した展開図表示シート領域と該展開図表示シート領域の立脚部分を除く輪郭切り取りラインを介して間歇接合した残余周辺シート領域とでそれぞれ構成されていることにより、立体構造物の組み立ての際に立体構造物の展開図が造作シートから切り離されないため、立体構造物の部品を紛失することをなくして立体構造物を完成させることを実現することができる。
加えて、ペーパジオラマ模型セットを組み立てた際に立体構造物から分離されない残余周辺シート領域の裏面が立脚部分を介して立体構造物の配置面となるため、残余周辺シート領域を無駄にすることなく有効利用することを実現することができる。
また、ベースシートの左右両側に配置された２枚の造作シートにそれぞれ造作される立体構造物の外形が、造作シートをベースシート側へ折り畳んだ状態で造作シートごとに組み立てられることにより、左右両側に配置された造作シートのそれぞれから立体構造物が形成されるため、一つの立体構造物では表現しきれない情景を表現することを実現することができる。
【００１４】
請求項２に係る本発明のペーパジオラマ模型セットによれば、請求項１記載のペーパジオラマ模型セットが奏する効果に加えて、立体構造物が、造作シートをベースシート側へ折り畳んだ状態で立体構造物の展開図を展開図表示シート領域の裏面側へ折り込んで組み立てられることにより、造作シートから切り離されない展開図を折ることで立体構造物が組み立てられるため、部品を紛失しないで立体構造物を簡単に組み立てて確実に完成させることを実現することができる。
【００１５】
請求項３に係る本発明のペーパジオラマ模型セットによれば、請求項１または請求項２記載のペーパジオラマ模型セットが奏する効果に加えて、立体構造物の組み立て状態を係止する差し込み舌片と差し込み穴が、立体構造物の展開図の付き合わせ部位に設けられていることにより、立体構造物が差し込み舌片および差し込み穴を介して造作シートに固定されるため、部品を紛失しなで立体構造物を造作シートの所定の位置に位置決めして確実にペーパジオラマ模型セットを組み立てることを実現することができる。
【００１６】
請求項４に係る本発明のペーパジオラマ模型セットによれば、請求項１乃至請求項３のいずれか一つに記載のペーパジオラマ模型セットが奏する効果に加えて、造作シートが、造作シートの他の辺に折り畳み自在に連設されて立体構造物の背景を裏面側に表示する背景表示領域を備えていることにより、ペーパジオラマ模型セットを組み立てた際に立体構造物の背面側に背景が配置されるため、実際の様子に近い情景を簡便に形成することを実現することができる。
【００１７】
請求項５に係る本発明のペーパジオラマ模型セットによれば、請求項１乃至請求項４のいずれか一つに記載のペーパジオラマ模型セットが奏する効果に加えて、造作シートとベースシートとが一枚の紙シートで一体に形成されていることにより、一枚の紙シートから立体構造物とその土台となるベースが形成されるため、一枚の紙シートについて不要な紙片の発生を抑制することを実現することができる。
【００１８】
請求項６に係る本発明のペーパジオラマ模型セットによれば、請求項１乃至請求項５のいずれか一つに記載のペーパジオラマ模型セットが奏する効果に加えて、造作シートとベースシートが、少なくとも表裏両面で同質となっていることにより、組み立てられたペーパジオラマ模型セットの外観に現れる部分について相互に重なった造作シートおよびベースシートの境界が連続的に一様な表面として綺麗に仕上がるため、より一層実際の様子に近い情景を簡便に形成することを実現することができる。
【図面の簡単な説明】
【００１９】
【図１】本発明の一実施例に係るペーパジオラマ模型セットを組み立てる前の状態を展開図表示面側から見た平面図。
【図２】本実施例に係るペーパジオラマ模型セットを組み立てる前の状態を裏面側から見た平面図。
【図３】本実施例に係るペーパジオラマ模型セットを組み立てる前の拡大図。
【図４】本実施例に係るペーパジオラマ模型セットを組み立てる途中の斜視図。
【図５】組み立てられたペーパジオラマ模型セットの斜視図。
【発明を実施するための形態】
【００２０】
本発明は、立体構造物を少なくともそれぞれ造作する２枚の造作シートとこれらの造作シートの一辺を谷折れ線として２枚の造作シートをそれぞれ折り返して重ね合わせる１枚のベースシートとを一体に形成してなるペーパジオラマ模型セットにおいて、２枚の造作シートが、立体構造物の展開図を表示した展開図表示シート領域とこの展開図表示シート領域の立脚部分を除く輪郭切り取りラインを介して間歇接合した残余周辺シート領域とでそれぞれ構成され、ベースシートの左右両側に配置された２枚の造作シートにそれぞれ造作される立体構造物の外形が、造作シートをベースシート側へ折り畳んだ状態で造作シートごとに組み立てられ、部品を紛失することなく、紙シート等の資源の無駄を抑制して資源を有効利用するとともに、一つの立体構造物では表現しきれない実際の様子に近い情景を左右両側の造作シートごとに組み立てられる立体構造物で簡便に再現するペーパジオラマ模型セットを提供するものであれば、その具体的な実施態様は、如何なるものであっても何ら構わない。
なお、立体構造物は、電車や自動車等の乗り物であってもよいし、ビル、寺社或いは家屋等の建物など如何なるものであってもよいし、造作シートは、枚葉状のシート部材であれば、如何なるものであってもよい。
また、間歇接合とは、ミシン目等のように部分的に複数の部分が繋がった状態で接合され、相互に接合された複数の部分を簡便に切り離すことができるように構成された接合をいう。
【実施例】
【００２１】
以下、本発明の一実施例であるペーパジオラマ模型セット１００を図１乃至図５に基づいて説明する。
ここで、図１は、本発明の一実施例であるペーパジオラマ模型セットを組み立てる前の状態を展開図表示面側から見た平面図であり、図２は、ペーパジオラマ模型セットを組み立てる前の状態を裏面側から見た平面図であり、図３は、ペーパジオラマ模型セットを組み立てる前の状態の拡大図であり、図４は、ペーパジオラマ模型セットを組み立てる途中の状態の斜視図であり、図５は、組み立てられたペーパジオラマ模型セットの斜視図である。
なお、以下では、立体構造物として路面電車を例に挙げている。
【００２２】
本実施例のペーパジオラマ模型セット１００は、図１乃至図３に示すように、立体構造物を少なくとも造作する造作シート１１０と、造作シート１１０の一辺を谷折れ線１１１として造作シート１１０を折り返して重ね合わせるベースシート１２０とを基本的な構成要素として備えている。
【００２３】
まず、造作シート１１０について、図１乃至図５に基づいて説明する。
造作シート１１０は、立体構造物Ｃ１の展開図１１９を表示した展開図表示シート領域１１２と展開図表示シート領域１１２の立脚部分１１５を除く輪郭切り取りライン１１６を介して間歇接合した残余周辺シート領域１１３とで構成されている。
したがって、立体構造物Ｃ１の組み立ての際に立体構造物Ｃ１の展開図１１９が造作シート１１０から切り離されないため、立体構造物Ｃ１の部品を紛失しないで立体構造物Ｃ１を完成させるようになっている。
【００２４】
加えて、ペーパジオラマ模型セット１００を組み立てた際に立体構造物Ｃ１から分離されない残余周辺シート領域１１３の裏面が立脚部分１１５を介して立体構造物Ｃ１の配置面となるため、残余周辺シート領域１１３を無駄にすることなく有効利用するようになっている。
【００２５】
また、ペーパジオラマ模型セット１００を組み立てる際に、立体構造物Ｃ１が、造作シート１１０をベースシート１２０側へ折り畳んだ状態で立体構造物Ｃ１の展開図１１９を展開図表示シート領域１１２の裏面側へ折り込んで組み立てられる。
したがって、造作シート１１０から切り離されない展開図１１９を折ることで立体構造物Ｃ１が組み立てられるため、部品を紛失しないで立体構造物Ｃ１を簡単に組み立てて確実に完成させるようになっている。
【００２６】
造作シート１１０には、立体構造物Ｃ１の組み立て状態を係止する差し込み舌片１１７と差し込み穴１１８が立体構造物Ｃ１の展開図１１９の付き合わせ部位、すなわち、展開図１１９を造作シート１１０の裏面側に折り返して組み立てた際に、立体構造物Ｃ１が造作シート１１０の裏面に付き合わせられる部位に設けられている。
したがって、立体構造物Ｃ１が差し込み舌片１１７および差し込み穴１１８を介して造作シート１１０に固定されるため、部品を紛失しないで立体構造物Ｃ１を造作シート１１０の所定の位置に位置決めして確実にペーパジオラマ模型セット１００を組み立てるようになっている。
【００２７】
ベースシート１２０の左右両側のそれぞれに配置された造作シート１１０の一方は、その造作シート１１０の他の辺に折り畳み自在に連接されて立体構造物Ｃ１の背景をその裏面側に表示する背景表示領域１１４を備えている。
したがって、ペーパジオラマ模型セット１００を組み立てた際に立体構造物Ｃ１の背面側に背景が配置されるため、実際の様子に近い情景を簡便に形成するようになっている。
【００２８】
ペーパジオラマ模型セット１００では、造作シート１１０が、ベースシート１２０の左右両側に配置されている。
したがって、ベースシート１２０の左右両側に配置された造作シート１１０のそれぞれから立体構造物Ｃ１およびＣ２が形成されるため、一つの立体構造物では表現しきれない情景を表現している。
【００２９】
そして、造作シート１１０とベースシート１２０は、一枚の紙シートで一体に構成されている。
したがって、一枚の紙シートから立体構造物Ｃ１およびＣ２とその土台となるベースが形成されるため、一枚の紙シートについて不要な紙片の発生を抑制している。
【００３０】
また、造作シート１１０とベースシート１２０が、少なくとも表裏両面で同質となっている。
より具体的には、例えば、造作シート１１０とベースシート１２０が、少なくとも表裏両面で相互に等しい光反射率や平滑度を有している。
これにより、組み立てられたペーパジオラマ模型セット１００の外観に現れる部分について相互に重なった造作シート１１０およびベースシート１２０の境界が連続的に一様な表面として綺麗に仕上がるため、より一層実際の様子に近い情景を簡便に形成している。
【００３１】
次に、ペーパジオラマ模型セット１００の組み立てについて、図１乃至図５に基づいて説明する。
図１乃至図５に示すように、立体構造物Ｃ１が、一方の造作シート１１０をベースシート１２０側へ折り畳んだ状態で立体構造物Ｃ１の展開図１１９を展開図表示シート領域１１２の裏面側へ折り込んで組み立てられる。
この際、展開図１１９中の折り線Ｌに沿って展開図１１９が折り込まれることによって立体構造物Ｃ１の外形が組み立てられるとともに、背景表示領域１１４がその裏面側に折り畳まれる。
なお、折り線Ｌに沿って、所定の部分に差し込み舌片１１７および差し込み穴１１８が設けられているため、折り線Ｌに沿って展開図１１９を折り込んだ状態で差し込み舌片１１７を差し込み穴１１８に差し込むことで立体構造物Ｃ１の外形が固定される。
【００３２】
また、立体構造物Ｃ１は、組み立て状態を係止する差し込み舌片１１７を差し込み穴１１８に差し込むことによって造作シート１１０に係止される。
さらに、一方の造作シート１１０の反対側に配置された造作シート１１０も同様にベースシート１２０側に折り畳まれる。立体構造物Ｃ２は、展開図１１９を展開図表示シート領域１１２の裏面側へ折り込んで折り線Ｌに沿って展開図１１９が折り込まれることによってその外形が組み立てられ、差し込み舌片１１７および差し込み穴１１８によって造作シート１１０に係止される。
このようにして、立体構造物Ｃ１およびＣ２が、背景表示領域１１４の前面に配置されたペーパジオラマ模型セット１１０の一連の組み立てが完了する。
【００３３】
このようにして得られた本実施例のペーパジオラマ模型セット１００は、造作シート１１０が、立体構造物Ｃ１およびＣ２の展開図１１９を表示した展開図表示シート領域１１２と展開図表示シート領域１１２の立脚部分１１５を除く輪郭切り取りライン１１６を介して間歇接合した残余周辺シート領域１１３とで構成されていることにより、立体構造物Ｃ１およびＣ２の部品を紛失しないで立体構造物Ｃ１およびＣ２を完成させるとともに、残余周辺シート領域１１３を無駄にすることなく有効利用することを実現することができる。
【００３４】
さらに、立体構造物Ｃ１およびＣ２が、造作シート１１０をベースシート１２０側へ折り畳んだ状態で立体構造物Ｃ１およびＣ２の展開図１１９を展開図表示シート領域１１２の裏面側へ折り込んで組み立てられることにより、部品を紛失しないで立体構造物Ｃ１およびＣ２を簡単に組み立てて確実に完成させることを実現することができるなど、その効果は甚大である。
【符号の説明】
【００３５】
１００・・・ペーパジオラマ模型セット
１１０・・・造作シート
１１１・・・谷折れ線
１１２・・・展開図表示シート領域
１１３・・・残余周辺シート領域
１１４・・・背景表示領域
１１５・・・立脚部分
１１６・・・輪郭切取ライン
１１７・・・差し込み舌片
１１８・・・差し込み穴
１１９・・・展開図
１２０・・・ベースシート
Ｃ１、Ｃ２・・・立体構造物
Ｆ・・・組み立て説明図
Ｌ・・・折り線
【図１】
0005417148.tif 000002
【図２】
0005417148.tif 000003
【図３】
0005417148.tif 000004
【図４】
0005417148.tif 000005
【図５】
0005417148.tif 000006